(57)【要約】      （修正有）【課題】装置を大型化させることなく、記録媒体に照射されたエネルギーが読取結果に与える影響をより低減することができる画像形成装置を提供する。【解決手段】記録媒体Ｐに画像を形成する画像形成部と、画像形成部により画像が形成された記録媒体Ｐに画像を定着させるためのエネルギーを照射する照射部と、記録媒体の搬送方向における照射部の下流側に設けられ、画像形成部により記録媒体Ｐに形成されたパターン画像を読み取る読取部と、読取部及び照射部の動作を制御する制御部と、を備え、パターン画像は、記録媒体Ｐにおける搬送方向の上流側端部に形成され、制御部は、読取部による前記パターン画像の読取開始から読取完了前の間の所定のタイミングで照射部によるエネルギーの照射を停止させる。【選択図】図４
2015016627.tif 000002
【特許請求の範囲】
【請求項１】
記録媒体に画像を形成する画像形成部と、
前記画像形成部により画像が形成された記録媒体に画像を定着させるためのエネルギーを照射する照射部と、
記録媒体の搬送方向における前記照射部の下流側に設けられ、前記画像形成部により記録媒体に形成されたパターン画像を読み取る読取部と、
前記読取部及び前記照射部の動作を制御する制御部と、を備え、
前記パターン画像は、前記記録媒体における前記搬送方向の上流側端部に形成され、
前記制御部は、前記読取部による前記パターン画像の読取開始から読取完了前の間の所定のタイミングで前記照射部によるエネルギーの照射を停止させることを特徴とする画像形成装置。
【請求項２】
前記エネルギーは、所定の波長の光であり、
前記パターン画像は、複数の色により構成され、当該パターン画像に含まれる複数の色のうち、前記所定の波長に対応する色により近い色の部分画像ほど前記搬送方向のより上流側に存することを特徴とする請求項１に記載の画像形成装置。
【請求項３】
前記パターン画像のもとになる画像データにおける複数の色の色値と当該画像データを用いて記録媒体に形成されたパターン画像の読取結果における複数の色の色値との比較結果に基づいて、前記画像形成部による色再現性の是非を判定する判定部を備え、
前記エネルギーは、所定の波長の光であり、
前記判定部は、前記所定の波長に対応する色に関する判定を行わないことを特徴とする請求項１又は２に記載の画像形成装置。
【発明の詳細な説明】
【技術分野】
【０００１】
本発明は、画像形成装置に関する。
【背景技術】
【０００２】
画像の形成に際して記録媒体に吐出されたインク等の色剤を記録媒体に定着させるため、紫外線等のエネルギーを画像が形成された記録媒体に照射する照射部を備える画像形成装置が知られている（例えば、特許文献１）。
【０００３】
さらに、記録媒体に形成された画像を光学的に読み取る読取部を備え、読取部による読取結果に基づいて、画像の色再現性を判定する機能等を有する画像形成装置も知られている。
【先行技術文献】
【特許文献】
【０００４】
【特許文献１】特開２００９−２６２５２４号公報
【発明の概要】
【発明が解決しようとする課題】
【０００５】
しかしながら、照射部及び読取部を備える画像形成装置において、照射部により照射された紫外線等が読取部に進入すると、読取部の読取結果に誤差を生じさせる問題があった。ここで、照射部と読取部はともに、搬送部により搬送される記録媒体に面するよう設けられることから、照射部と読取部とを完全に物理的に隔離することは困難であった。また、照射部と読取部との間の距離が長ければ長いほど、照射部により照射された紫外線等が読取部に進入する可能性は低くなるが、照射部と読取部との間の距離を長くしようとすると、画像形成装置が大型化してしまうという別の問題が生じる。
【０００６】
本発明は、画像形成装置を大型化させることなく、記録媒体に照射されたエネルギーが読取結果に与える影響をより低減することができる画像形成装置を提供することを目的とする。
【課題を解決するための手段】
【０００７】
請求項１に記載の発明による画像形成装置は、記録媒体に画像を形成する画像形成部と、前記画像形成部により画像が形成された記録媒体に画像を定着させるためのエネルギーを照射する照射部と、記録媒体の搬送方向における前記照射部の下流側に設けられ、前記画像形成部により記録媒体に形成されたパターン画像を読み取る読取部と、前記読取部及び前記照射部の動作を制御する制御部と、を備え、前記パターン画像は、前記記録媒体における前記搬送方向の上流側端部に形成され、前記制御部は、前記読取部による前記パターン画像の読取開始から読取完了前の間の所定のタイミングで前記照射部によるエネルギーの照射を停止させることを特徴とする。
【０００８】
請求項２に記載の発明は、請求項１に記載の画像形成装置であって、前記エネルギーは、所定の波長の光であり、前記パターン画像は、複数の色により構成され、当該パターン画像に含まれる複数の色のうち、前記所定の波長に対応する色により近い色の部分画像ほど前記搬送方向のより上流側に存することを特徴とする。
【０００９】
請求項３に記載の発明は、請求項１又は２に記載の画像形成装置であって、前記パターン画像のもとになる画像データにおける複数の色の色値と当該画像データを用いて記録媒体に形成されたパターン画像の読取結果における複数の色の色値との比較結果に基づいて、前記画像形成部による色再現性の是非を判定する判定部を備え、前記エネルギーは、所定の波長の光であり、前記判定部は、前記所定の波長に対応する色に関する判定を行わないことを特徴とする。
【発明の効果】
【００１０】
本発明によれば、画像形成装置を大型化させることなく、記録媒体に照射されたエネルギーが読取結果に与える影響をより低減することができる。
【図面の簡単な説明】
【００１１】
【図１】本発明の一実施形態である画像形成装置の主要構成を示す図である。
【図２】画像形成装置の主要構成を示すブロック図である。
【図３】読取部のＣＣＤイメージセンサーの分光感度特性の一例を示す図である。
【図４】パターン画像が形成された記録媒体の一例を示す図である。
【図５】ドラム式の搬送部を有する画像形成装置の一例を示す図である。
【発明を実施するための形態】
【００１２】
以下に、本発明の実施形態について図面を用いて説明する。ただし、以下に述べる実施形態には、本発明を実施するために技術的に好ましい種々の限定が付されているが、発明の範囲を以下の実施形態及び図示例に限定するものではない。
【００１３】
図１は、本発明の一実施形態である画像形成装置１の主要構成を示す図である。
図２は、画像形成装置１の主要構成を示すブロック図である。
画像形成装置１は、通信部１０、画像処理部２０、画像形成部３０、照射部４０、読取部５０、搬送部６０、判定部７０、調整部８０、操作表示部９０、制御部１００等を備え、これらの各部は、バス２を介して接続されている。
【００１４】
通信部１０は、例えば、ネットワークインターフェースカード（Network Interface Card）等を備え、外部の機器と画像形成装置１とを通信可能に接続する。
通信部１０は、例えば、外部の機器から送信されたジョブデータを受信する。
【００１５】
画像処理部２０は、各種の画像処理を行う。
具体的には、画像処理部２０は、例えば、通信部１０を介して入力されたジョブデータに含まれるページ記述言語によるデータを解析してベクターデータを生成する解析処理、解析処理により生成されたベクターデータを画像データに応じたビットマップデータを生成するラスタライズ処理等、各種の画像処理を行う。
【００１６】
画像形成部３０は、媒体（例えば、記録媒体Ｐ等）に画像を形成する。
具体的には、画像形成部３０は、例えば、所定の方向に沿って設けられた複数のノズルや、複数のノズルの各々からインクを吐出するインクジェットヘッド、インクジェットヘッドの駆動に係る各種の回路を備える駆動基板等を備えたヘッド部３１を有する。画像形成部３０は、画像処理部２０により生成されたビットマップデータに基づいて、搬送部６０により搬送される記録媒体Ｐに対してヘッド部３１のノズルからインクを吐出することで、記録媒体Ｐに画像を形成する。また、画像形成部３０は、ヘッド部３１に対してインクを供給するインク供給部、ヘッド部３１を所定の方向に沿って移動可能に支持するキャリッジ、後述する詰まり解消動作においてヘッド部３１を所定の方向に沿って移動させる駆動部及びノズルから強制的に吐出されたインクを受け止めるためのクリーニング部等を有する。
本実施形態の画像形成部３０は、複数の色（例えば、シアン（Ｃ）、マゼンタ（Ｍ）、イエロー（Ｙ）、ブラック（Ｋ））のインクの組み合わせにより画像を形成するカラープリントが可能な画像形成部である。画像形成部３０のヘッド部３１は、複数の色の各々について個別に設けられている。
【００１７】
画像形成部３０は、例えば、ジョブデータに応じた画像を形成する。
また、画像形成部３０は、パターン画像を形成する（図４参照）。パターン画像の形成は、例えば、ジョブデータに応じた画像の形成とともに行われる。パターン画像の詳細については、後述する。
【００１８】
照射部４０は、画像形成部３０により画像が形成された記録媒体Ｐに画像を定着させるためのエネルギーを照射する。
照射部４０により照射されるエネルギーは、インクの特性に応じる。例えば、画像形成部３０のヘッド部３１において紫外線の照射により硬化する紫外線硬化性インクが用いられる場合、照射部４０から照射されるエネルギーは、紫外線である。この場合、照射部４０は、例えば、紫外線（ultraviolet：ＵＶ）を発する発光ダイオード（Light Emitting Diode：ＬＥＤ）等の照射源等を有する。係る照射部４０は、搬送部６０により搬送される記録媒体Ｐに対して紫外線を照射する。
照射部４０によりエネルギーが照射されると、記録媒体Ｐの記録面上に吐出されたインクが硬化して、記録面に定着されることとなる。
【００１９】
読取部５０は、媒体の画像を読み取る。
具体的には、読取部５０は、例えば、ＣＣＤ（charge-coupled device）イメージセンサー又はＣＭＯＳ（Complementary Metal Oxide Semiconductor）イメージセンサー等、所定数の撮像素子が所定の方向に沿って設けられたリニアイメージセンサーや、撮像素子から出力された電気信号に応じて画像データを生成する生成部、媒体に対して光を照射する光源等を有する。読取部５０は、搬送部６０により搬送されることで読取部５０に対して移動する媒体を走査することで媒体上に形成されている画像を読み取る。より具体的には、読取部５０は、光源から媒体に光を照射し、媒体により反射された光をリニアイメージセンサーで検知して、検知結果に応じて出力された電気信号に基づいて、読取結果に応じた画像データ（読取画像データ）を生成、出力する。
【００２０】
読取部５０は、照射部４０に近接して設けられている。
具体的には、読取部５０と照射部４０は、搬送部６０による媒体の搬送経路に沿って隣り合うよう設けられている。
【００２１】
ここで、照射部４０から照射されるエネルギーと読取部５０による読取結果の関係について説明する。
図３は、読取部５０のＣＣＤイメージセンサーの分光感度特性の一例を示す図である。
ＣＣＤイメージセンサーは、図３に示すように、４００〜７００［ｎｍ］の光に対する感度を有する。このため、例えば、照射部４０の照射源から発せられる紫外線の波長が４０５［ｎｍ］である場合、ＣＣＤイメージセンサーは、照射部４０の照射源から発せられる紫外線や当該紫外線の反射光に対する感度を有していることとなる。
また、図３では図示していないが、ＣＣＤイメージセンサーは、例えば、３９５［ｎｍ］等、４００［ｎｍ］未満の全ての光に対する感度が全くないわけではない。また、照射源に設定される紫外線の波長はあくまで中心波長であり、照射源から実際に発せられる紫外線の波長が完全な単一波長であるわけではない。このため、照射部４０の照射源から発せられる紫外線の波長が４００［ｎｍ］未満に設定されている場合であっても、ＣＣＤイメージセンサーは、照射部４０の照射源から発せられる紫外線や当該紫外線の反射光に対する感度を示すことがある。
【００２２】
図３に示すような分光感度特性と照射部４０の照射源から発せられる紫外線との関係から、本実施形態において読取部５０の動作中に照射部４０が動作している場合、読取部５０のＣＣＤイメージセンサーにより読み取られる色のうち、青（Ｂ）を原色として含む色が影響を受ける。また、赤（Ｒ）、緑（Ｇ）、青（Ｂ）の原色のうち、青（Ｂ）による影響がより強い色は、照射部４０の照射源から発せられる紫外線の影響がより強くなる。言い換えれば、本実施形態において、照射部４０から照射されるエネルギーである光（紫外線）の波長（所定の波長）に対応する色は、青（Ｂ）である。
【００２３】
搬送部６０は、画像形成部３０、照射部４０及び読取部５０に媒体を搬送する。
具体的には、搬送部６０は、例えば、所定の方向について所定の幅を有する輪状のベルトや、ベルトの輪の内側からベルトを張架するよう設けられた複数のローラー、ローラーを回転駆動する駆動部等を有する。搬送部６０は、駆動部がローラーを回転駆動することで、ベルトの外周面に載置された記録媒体Ｐ等の媒体を搬送する。
搬送部６０は、例えば、所定の方向に直交する方向に沿って媒体を搬送する。ここで、画像形成部３０と照射部４０は、所定の方向に直交する方向に沿って設けられている。また、照射部４０は、搬送部６０による媒体の搬送方向において、画像形成部３０の下流側に設けられている。また、読取部５０は、搬送方向において、照射部４０の下流側に設けられている。また、搬送部６０のベルトの上面は、当該上面に載置されて搬送される媒体の通過位置が画像形成部３０、照射部４０及び読取部５０の配設位置の近傍となるよう設けられている。搬送部６０は、所定の方向に直交する方向に沿って媒体を搬送することで、画像形成部３０、照射部４０及び読取部５０の配設位置の近傍に媒体を通過させる。
また、搬送部６０に媒体が載置される搬送面と、画像形成部３０のヘッド部３１のノズルから吐出されるインクの吐出方向とは直交する。
【００２４】
判定部７０は、パターン画像を構成する複数の色の各々と、読取部５０による当該パターン画像の読取結果が示す複数の色の各々との比較結果に基づいて、画像形成部３０による色再現性の是非を判定する。
【００２５】
ここで、パターン画像について説明する。
パターン画像は、例えば、図４に示すように、記録媒体Ｐ（例えば、枚葉紙）における記録面のうち、ジョブデータに応じた画像が形成される画像形成領域の上流側であって、記録媒体Ｐの上流側端部に存する余白領域に形成される。
【００２６】
また、パターン画像は、複数の色により構成される。
具体的には、パターン画像は、例えば、図４に示すように、赤（Ｒ）、緑（Ｇ）、青（Ｂ）の各色に対応する部分領域を有する。
なお、図４には、各部分領域の色に対応する符号Ｒ、Ｇ、Ｂを付している。また、各部分領域は、例えば、搬送方向に直交する方向（幅方向）について、記録媒体Ｐに画像を形成することが可能な最大幅に対応する幅を有する方形状の領域であるが、一例であってこれに限られるものでなく、適宜変更可能である。
【００２７】
また、パターン画像は、当該パターン画像に含まれる複数の色のうち、所定の波長により近い色に対応する色の部分画像ほど搬送方向のより上流側に存する。
具体的には、例えば、図４に示すように、パターン画像を構成する赤（Ｒ）、緑（Ｇ）、青（Ｂ）の各色に対応する部分領域のうち、照射部４０から照射される光（紫外線）の波長に対応する色である青（Ｂ）の部分領域が最も上流側に存する。また、赤（Ｒ）よりも緑（Ｇ）のほうが照射部４０から照射される光の波長により近いことから、赤（Ｒ）の部分領域よりも緑（Ｇ）の部分領域のほうがより上流側に存する。このことから、余白部分Ｐ１には、搬送方向に沿う方向について、上流側から、青（Ｂ）、緑（Ｇ）、赤（Ｂ）の順に部分領域が並ぶように形成されている。
【００２８】
パターン画像のもとになる画像データ（元画像データ）は、例えば、画像形成装置１に設けられた記憶装置（例えば、制御部１００のＲＯＭ等）に予め記憶されている。画像形成部３０は、元画像データに基づいてパターン画像を形成する。読取部５０は、元画像データを用いて記録媒体Ｐに形成されたパターン画像を読み取って、読取結果に応じた読取画像データを生成する。
判定部７０は、元画像データの色と読取画像データの色とを比較する。具体的には、判定部７０は、例えば、元画像データの各画素の色値と、読取画像データの各画素の色値とを比較する。そして、判定部７０は、比較された色値に差がある場合に、当該差と所定の閾値との関係に基づいて、画像形成部３０による色再現性の是非を判定する。
【００２９】
例えば、比較された色値に差がない場合や、差がある場合であって、かつ、当該差が所定の閾値未満である場合に、判定部７０は、元画像データに基づいて形成されたパターン画像の色再現性に問題がないものと判定する。ここで、元画像データに基づいて形成されたパターン画像の色再現性に問題がないということは、ジョブデータに応じて形成される画像の色再現性にも問題が生じないものと推定されることから、判定部７０は、画像形成部３０による色再現性に問題がないと判定する。
一方、比較された色値に差がある場合であって、かつ、当該差が所定の閾値以上である場合に、判定部７０は、元画像データに基づいて形成されたパターン画像の色再現性に問題があるものと判定する。ここで、元画像データに基づいて形成されたパターン画像の色再現性に問題があるということは、ジョブデータに応じて形成される画像の色再現性にも問題が生じるものと推定されることから、判定部７０は、画像形成部３０による色再現性に問題があると判定する。
判定部７０は、元画像データの各部分領域と、読取画像データの各部分領域とを対応させたうえで、各画素の色値の比較を行う。また、判定部７０は、所定の画素数以上の画素について、色値の差が所定の閾値以上である場合に、画像形成部３０による色再現性に問題があると判定するようにしてもよい。なお、所定の閾値及び所定の画素数については、任意に設定することができる。
【００３０】
調整部８０は、判定部７０による判定結果に基づいて、画像形成部３０の色再現に係る調整を行う。
具体的には、調整部８０は、画像形成部３０による色再現性に問題があると判定部７０により判定された場合、正しい色再現が行われるように出力信号を調整する調整動作を行う。
具体的には、調整部８０は、例えば、元画像データの色値に対して読取画像データの色値が大きいことにより色再現性に問題があると判定された画素がある場合、即ち、濃すぎる色が再現されている場合に、当該画素に対応するノズルの出力信号について、インクの吐出量をより少なくするように調整を行うことで、色再現性を適正にする。逆に、元画像データの色値に対して読取画像データの色値が小さいことにより色再現性に問題があると判定された画素がある場合、即ち、淡すぎる色が再現されている場合に、当該画素に対応するノズルの出力信号について、インクの吐出量をより多くするように調整を行うことで、色再現性を適正にする。係る色再現性の適正化は、説明の簡略化のために例示的に説明しているが、適宜変更可能である。具体的には、調整部８０は、例えば、赤（Ｒ）を再現するために必要な各色のインクの割合に応じて、各色のヘッドユニットのノズルの出力信号を調整する。他の色についても、同様である。また、調整部８０は、色再現性に問題があると判定部７０により判定される原因となった全ての画素について、出力信号の調整を行う。
【００３１】
判定部７０及び調整部８０は、例えば、ＰＬＤ又はＡＳＩＣのような集積回路あるいはこれらの組み合わせによる回路からなり、当該回路に、判定部７０及び調整部８０としての機能が実装されているが、一例であってこれに限られるものでない。例えば、各機能の一部又は全部について個別に回路が設けられていてもよい。
【００３２】
操作表示部９０は、画像形成装置１の動作に係る各種の表示出力を行うとともに、画像形成装置１の動作に係る各種の入力操作を検知する。
具体的には、操作表示部９０は、例えば、タッチパネル方式の入力装置を備える表示装置や、各種の入力操作内容に応じて設けられたスイッチ等を備える。操作表示部９０は、表示装置により、制御部１００の制御下で、画像形成装置１の動作に係る各種の表示出力を行う。また、操作表示部９０は、タッチパネル方式の入力装置やスイッチに対して行われたユーザーからの入力操作を検知して、検知された入力操作内容に応じた信号を制御部１００に出力する。
【００３３】
制御部１００は、画像形成装置１の動作の制御に係る各種の処理を行う。
具体的には、制御部１００は、例えば、ＣＰＵ、ＲＡＭ、ＲＯＭ等を備える。ＣＰＵは、ＲＯＭ等の記憶装置から処理内容に応じたプログラムやデータ等を読み出して処理し、画像形成装置１の各部の動作を制御する。また、ＣＰＵは、処理に際して読み出されたプログラムやデータ、処理に伴い生じたパラメーター等をＲＡＭに記憶させる。
【００３４】
以下、画像形成装置１の具体的な動作について説明する。
本実施形態の画像形成装置１は、画像形成部３０により記録媒体Ｐに画像を形成するとともに、記録媒体Ｐの余白部分Ｐ１にパターン画像を形成し、記録媒体Ｐに形成されたパターン画像を読取部５０で読み取って判定部７０による判定を行う判定機能を有する。
判定機能に係る処理において、制御部１００は、読取部５０によるパターン画像の読取開始から読取完了前の間の所定のタイミングで照射部４０によるエネルギーの照射を停止させる。
具体的には、制御部１００は、例えば、パターン画像のうち、青（Ｂ）の部分領域が読取部５０により読み取られるタイミングで照射部４０の動作を停止させる。これにより、照射部４０からの光（紫外線）による青（Ｂ）への影響をなくした状態で読取を行うことができることから、読取部５０は、青（Ｂ）の部分領域に係る色の検知を正しく行うことができる。よって、判定部７０による判定を正しい読取結果に基づいて行うことができる。
【００３５】
なお、搬送部６０により搬送される記録媒体Ｐに形成されたパターン画像の位置と読取部５０による読取位置との対応関係は、例えば、搬送部６０による記録媒体Ｐの単位時間あたりの搬送速度及び搬送量と、画像形成部３０によるパターン画像の形成タイミングと、画像形成部３０、照射部４０及び読取部５０の搬送方向に沿う方向の位置関係とに基づいて特定される。制御部１００は、予め把握されている搬送速度ならびに画像形成部３０、照射部４０及び読取部５０の位置関係に基づいて、搬送部６０による記録媒体Ｐの搬送量から画像形成部３０による画像の形成タイミングを決定し、パターン画像を含む画像を形成する。また、制御部１００は、記録媒体Ｐに形成されたパターン画像が読取部５０による読取位置まで搬送されるタイミングを特定し、当該タイミングで読取部５０を動作させる。また、制御部１００は、パターン画像のうち、照射部４０の動作を停止させた状態で読み取られる部分領域（例えば、青（Ｂ）の部分領域）が読取部５０による読取位置まで搬送されるタイミングを特定し、当該タイミングで照射部４０を停止させ、読取部５０による読取を続行させる。パターン画像の全領域が読取位置を通過するまで記録媒体Ｐが搬送されると、制御部１００は、読取部５０による読取が完了したと判定し、読取部５０による読取を終了させる。
【００３６】
上記のパターン画像の位置と読取部５０による読取位置との対応関係に係る処理は一例であって、これに限られるものでなく、適宜変更可能である。
例えば、搬送部６０の動作量を取得するための取得部を設けてもよい。取得部として、例えば、ベルトを担持するローラー又は当該ローラーを駆動するモーターの回転量を取得するエンコーダー等が挙げられる。また、搬送される記録媒体Ｐの位置を検知するための検知部（例えば、フォトカプラ等）を搬送部６０による記録媒体Ｐの搬送経路に設けて、記録媒体Ｐの位置を検知するようにしてもよい。これらの構成のいずれか又は全てにより、制御部１００は、より正確に各種のタイミングを決定することができる。
【００３７】
以上、本実施形態の画像形成装置１によれば、制御部１００は、読取部５０によるパターン画像の読取開始から読取完了前の間の所定のタイミングで照射部４０によるエネルギーの照射を停止させるので、照射部４０が停止された後の読取結果について、照射部４０からのエネルギーにより生じうる読取部５０による読取結果への影響をなくした状態で読取を行うことができることから、読取部５０は、色の検知を正しく行うことができる。よって、照射部４０により照射されたエネルギーが読取部５０による読取結果に与える影響をより低減することができる。
また、パターン画像は、記録媒体Ｐにおける搬送方向の上流側端部に形成されるので、制御部１００は、パターン画像より下流側に形成される画像に対する照射部４０によるエネルギーの照射を照射部４０に行わせるとともに、読取部５０によりパターン画像の読取を行うタイミングに応じて照射部４０の動作を停止させることができる。即ち、パターン画像より下流側に形成される画像に対して照射部４０から十分にエネルギーを照射することができることから、パターン画像より下流側に形成される画像に対して照射部４０の動作停止の影響を与えることなく画像形成を行うことができる。
【００３８】
また、エネルギーは、所定の波長の光であり、パターン画像は、複数の色により構成され、当該パターン画像に含まれる複数の色のうち、所定の波長により近い色に対応する色の部分画像ほど搬送方向のより上流側に存するので、より上流側に存する色（例えば、青（Ｂ））の読取タイミングに応じて照射部４０の動作を停止することで、照射部４０から照射される光（例えば、紫外線）による当該色への影響をなくすことができるとともに、より下流側に存する色の読取が行われている際に照射部４０を動作させることができる。即ち、照射部４０の動作による画像の定着と、照射部４０により照射されたエネルギーが読取部５０による読取結果に与える影響の低減との両立をより高いレベルで行うことができる。
【００３９】
なお、本発明の実施の形態は、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４０】
例えば、上記の実施形態における照射部４０の動作停止タイミングは、あくまで一例であってこれに限られるものでない。
他の一例として、制御部１００は、パターン画像の読取開始タイミングで照射部４０の動作を停止させてもよい。この場合、パターン画像の全ての領域に係る読取結果について、照射部４０から照射されるエネルギーによる読取結果への影響をなくすことができる。ただし、パターン画像に対して、照射部４０によるエネルギーの照射が行われないことから、記録媒体Ｐに対するパターン画像の定着が不十分又は行われないことが考えられる。しかしながら、パターン画像は、当該パターン画像の下流側に形成される画像（例えば、ジョブデータに応じた画像）の形成に伴い余白部分Ｐ１に形成される画像であり、事後に余白部分Ｐ１の切除等により廃棄されるものであることから、画像形成において実質的な問題は生じない。
【００４１】
また、上記の実施形態では、判定部７０はパターン画像の全領域の読取結果について判定を行っているが、一例であってこれに限られるものでない。
判定部７０は、例えば、照射部４０から照射される光の波長に対応する色に関する判定を行わないようにしてもよい。具体的には、例えば、上記の実施形態のように、照射部４０から照射されるエネルギーが紫外線の場合、読取部５０のＣＣＤイメージセンサーにより検知される色の検知結果のうち、当該紫外線の波長に対応する部分（例えば、４０５［ｎｍ］以下の波長に係る検知結果等）について、判定部７０は、判定を行わないようにしてもよい。より具体的には、元画像データと読取画像データとの比較において、照射部４０から照射される光の波長に対応する色に関する比較を省略するようにしてもよいし、比較については全ての波長について行い、判定のみ照射部４０から照射される光の波長に対応する色に関する部分について省略するようにしてもよい。
【００４２】
また、上記の実施形態におけるパターン画像はあくまで一例であってこれに限られるものでなく、適宜変更可能である。
例えば、上記の実施形態では、パターン画像は、赤（Ｒ）、緑（Ｇ）、青（Ｂ）の各々の色に対応する部分領域により構成されているが、これらの色は任意に変更可能である。例えば、パターン画像は、画像形成部３０のヘッド部３１の各々の色（ＣＭＹＫ）に対応する部分領域により構成されていてもよい。また、上記の実施形態において、パターン画像は、ベタ画像である部分領域により構成されているが、ベタ画像に限らない。例えば、各部分領域は、各ノズルから吐出された複数の線により構成されたテストチャートであってもよいし、複数の色の各々の濃淡に係る色再現性を示すシェーディング画像であってもよい。また、上記の実施形態において、パターン画像は、余白部分Ｐ１に形成され、記録媒体Ｐの最大幅に対応する幅方向の大きさを有するが、パターン画像の形成位置や大きさは、任意に変更可能である。
また、これらの各種の変更を行った場合にも、搬送部６０による搬送方向について、照射部４０から照射される光の波長に対応する色との近似性に基づいて、パターン画像を構成する部分領域の並び順を決定することで、上記と同様に、照射部４０から照射される光の波長により近い波長に対応する色に係る読取結果に対する影響を低減することができる。
【００４３】
また、幅方向について、画像形成装置１が対応する最大幅を有する記録媒体Ｐに対してパターン画像を形成する場合に、画像形成部３０により画像が形成可能な最大幅を有するパターン画像を形成するようにしてもよい。これにより、読取部５０によるパターン画像の読取結果に基づいて、画像形成部３０のノズルの各々の詰まりの有無を確認することができる。
【００４４】
また、上記の実施形態における読取部５０はリニアイメージセンサーであるが、一例であってこれに限られるものでない。例えば、読取部５０は、搬送部６０に搬送される媒体の一面を撮像するように設けられた二次元のエリアイメージセンサーであってもよい。
【００４５】
また、上記の実施形態では、ワンパス方式のインクジェット記録装置として機能する画像形成部３０について記載しているが、一例であってこれに限られるものでない。例えば、画像形成部３０は、所定の方向に沿ってヘッド部３１を往復移動させる機構をさらに備えていてもよいし、インクジェット記録方式によらず、他の画像形成方式によって画像を形成する画像形成部であってもよい。
【００４６】
また、上記の実施形態において、照射部４０から照射されるエネルギーは紫外線であるが、一例であってこれに限られるものでない。他のエネルギーの具体例として、赤外線（infrared：ＩＲ）、インクを硬化させる作用をもたらすその他の光線又は電磁波等の波動あるいはこれらの波動により生じる熱等が挙げられる。エネルギーは、インクの特性に応じて具体的に選定される。
また、照射部４０から照射されるエネルギーが読取部５０に対して与える影響に係る具体的内容は、エネルギーに応じる。例えば、エネルギーとしてＩＲが用いられる場合、ＣＣＤイメージセンサーが感度を示す波長の光のうち、７００［ｎｍ］以上の波長の光に係る影響がより重点的に考慮される。また、この場合、赤（Ｒ）、緑（Ｇ）、青（Ｂ）の原色のうち、照射部４０から照射されるエネルギーである光（紫外線）の波長である所定の波長に対応する色は、赤（Ｒ）である。
【００４７】
また、判定部７０及び調整部８０の機能のうち、一部又は全部は、制御部１００のＣＰＵ、ＲＡＭ、ＲＯＭ等の協働によるソフトウェア処理で実現される機能であってもよい。
【００４８】
また、搬送部６０の形態等、画像形成装置１を構成する各部の形態及び配置は適宜変更可能である。
例えば、図５に示すように、ドラム式の搬送部６０Ａを有する画像形成装置１Ａにおいても、本発明は適用可能である。この場合、画像形成部３０のヘッド部３１の各々は、搬送部６０Ａのドラムの外周面の弧に沿うように並べて設けられる。また、照射部４０は、媒体の搬入部から媒体の排出部に至るまでの媒体の搬送方向において、画像形成部３０の下流側の位置に設けられる。また、読取部５０は、照射部４０の下流側の位置に設けられる。
図５に示す例による画像形成装置１Ａにおいても、上記と同様の効果を奏する。
【符号の説明】
【００４９】
１      画像形成装置
２      バス
１０    通信部
２０    画像処理部
３０    画像形成部
３１    ヘッド部
４０    照射部
５０    読取部
６０    搬送部
７０    判定部
８０    調整部
９０    操作表示部
１００  制御部
Ｐ      記録媒体
Ｐ１    余白部分
【図１】
2015016627.tif 000003
【図２】
2015016627.tif 000004
【図３】
2015016627.tif 000005
【図４】
2015016627.tif 000006
【図５】
2015016627.tif 000007